(57)【要約】【課題】  フードに設けられた吸入口の構造を改善することにより、フードの下部に配置された複数のガスレンジにおいて生じる排ガスや食べ物の臭いなどを効率よく吸い込めるようにした壁掛け型電子レンジを提供する。【解決手段】  一側に排気通路と排気ファンが設けられた本体と、この排気通路と連通する吸気口が設けられて本体の下部に装着されるフードと、を備え、吸気口は、相対的に排気通路から遠く離れている方が、相対的に排気通路の近くにある方よりもその幅が広く形成され、その結果、相対的に排気ファンにより生じる吸入力が小さい方の面積が、吸入力が相対的に大きい方の面積よりも大きくなっている壁掛け型電子レンジ。【選択図】  図１
2005140494.tif 000002
【特許請求の範囲】
【請求項１】
一側に排気通路が設けられた本体と、前記排気通路と連通する少なくとも一つの吸気口が設けられて前記本体の下部に装着されるフードと、を備え、前記吸気口は、相対的に前記排気通路から遠く離れている方が、相対的に前記排気通路の近くにある方よりもその幅が広く形成されたことを特徴とする壁掛け型電子レンジ。
【請求項２】
前記吸気口は、前記排気通路に進むにつれてその幅が一定に狭まる形状を有することを特徴とする請求項１に記載の壁掛け型電子レンジ。
【請求項３】
前記吸気口は、複数のものが横方向に並んで形成されたことを特徴とする請求項１に記載の壁掛け型電子レンジ。
【請求項４】
前記吸気口は、略梯形を呈していることを特徴とする求項１に記載の壁掛け型電子レンジ。
【請求項５】
一側に排気通路が設けられた本体と、前記排気通路に設けられた排気ファンと、前記本体の下部に装着され、前記排気通路と連通する吸気口が横方向に設けられたフードと、を備え、前記吸気口は、前記排気ファンにより生じる吸入力が相対的に小さい方の面積が、吸入力が相対的に大きい方の面積よりも大きくなっていることを特徴とする壁掛け型電子レンジ。
【請求項６】
前記吸気口は、前記排気通路に進むにつれてその幅が一定に狭まる形状を有することを特徴とする請求項５に記載の壁掛け型電子レンジ。
【請求項７】
前記吸気口は、複数のものが横方向に並んで形成されたことを特徴とする請求項５に記載の壁掛け型電子レンジ。
【請求項８】
前記吸気口は、略梯形を呈していることを特徴とする請求項５に記載の壁掛け型電子レンジ。
【請求項９】
前記少なくとも一つの吸気口は、前記フードの左側及び右側において一定の間隔だけ離れた状態で配置されていることを特徴とする請求項１に記載の壁掛け型電子レンジ。
【請求項１０】
前記複数の吸気口は、一定の間隔だけ互いに離れていることを特徴とする請求項３に記載の壁掛け型電子レンジ。
【請求項１１】
一側に排気通路が設けられた本体と、前記本体の下部に装着され、吸気口が設けられたフードと、を備え、前記吸気口は、相対的に吸入力が大きい方が、相対的に吸入力が小さい方よりもその長さが短く形成されたことを特徴とする壁掛け型電子レンジ。
【請求項１２】
前記吸気口は、相対的に短い方が前記排気通路の近くにあることを特徴とする請求項１１に記載の壁掛け型電子レンジ。
【請求項１３】
前記吸気口は、相対的に短い方の面積が、相対的に吸入力が小さい方の面積よりも小さくなっていることを特徴とする請求項１２に記載の壁掛け型電子レンジ。
【請求項１４】
電子レンジの一側に設けられた排気通路と、前記本体の下部に装着され、一対の吸気口が設けられたフードと、を備え、前記一対の吸気口は、相対的に前記排気通路の近くにある方が、相対的に前記排気通路から遠く離れている方よりもその面積が小さくなっていることを特徴とする壁掛け型電子レンジ。
【請求項１５】
前記一対の吸気口は、前記排気通路に進むにつれてその幅が一定に狭まる形状を有することを特徴とする請求項１４に記載の壁掛け型電子レンジ。
【請求項１６】
前記一対の吸気口は、前記フードの左側及び右側において互いに一定間隔だけ離れて配置されていることを特徴とする請求項１５に記載の壁掛け型電子レンジ。
【発明の詳細な説明】
【技術分野】
【０００１】
本発明は壁掛け型電子レンジに係り、より詳細には、フードに設けられた吸入口の構造を改善することにより、フードの下部に配置された複数のガスレンジにおいて生じる排ガスや食べ物の臭いなどを効率よく吸い込めるようにした壁掛け型電子レンジに関する。
【背景技術】
【０００２】
壁掛け型電子レンジは、台所の流し台に設けられた複数のガスレンジの上部において台所の壁に取り付けられ、通常の電子レンジが有する高周波による調理機能と共に、複数のガスレンジを用いて調理を行うときに生じる排ガスや煙、または食べ物の臭いなどを室外に排出させる機能をも兼ねるようにした調理装置である。
【０００３】
この種の壁掛け型電子レンジは、通常の電子レンジでのように、外観を形成する本体の内部に互いに仕切られて配置された調理室と電装品室とを備えて調理室における食べ物の調理ができると共に、前記調理室の外側と本体との間には排気通路が設けられ、この排気通路の上側には排気ファンが設けられて本体の下部に位置した複数のガスレンジにおいて生じる排ガスや食べ物の臭いなどを排気通路に吸い込んで室外に排出できるようになっている。
【０００４】
また、本体の下部には、複数のガスレンジにおいて生じる排ガスや食べ物の臭いなどが本体の内部に設けられた排気通路に流れ込むべく排気通路と連通する吸気口付きフードが設けられている。
【０００５】
しかしながら、このように構成された従来の壁掛け型電子レンジは、排気通路が本体の一側に設けられ、排ガスや食べ物の臭いなどを排気通路に吸い込むための吸気口が横方向に等幅をもって形成される構造を有するため、フードの下部に位置している複数のガスレンジ（または他の調理器具）のうち相対的に排気通路の近くに位置しているガスレンジにおいて生じる排ガスは、排気ファンにより生じる吸入力が相対的に大きいために円滑に排気通路に吸い込まれるものの、相対的に排気通路から遠く離れているガスレンジにおいて生じる排ガスは、排気ファンにより生じる吸入力が相対的に小さいために円滑に吸い込まれなくなる。
【０００６】
このため、従来の壁掛け型電子レンジは、フードの下部に位置している全てのガスレンジにおいて生じる排ガスを効率よく吸い込んで排出し切れないという短所があった。
【発明の開示】
【発明が解決しようとする課題】
【０００７】
本発明は上記事情に鑑みてなされたものであり、その目的は、フードに設けられた吸入口の構造を改善することにより、フードの下部に配置された複数のガスレンジにおいて生じる排ガスや食べ物の臭いなどを効率よく吸い込めるようにした壁掛け型電子レンジを提供するところにある。
【課題を解決するための手段】
【０００８】
この目的を達成するために、本発明に係る壁掛け型電子レンジは、一側に排気通路が設けられた本体と、前記排気通路と連通する少なくとも一つの吸気口が設けられて前記本体の下部に装着されるフードと、を備え、前記吸気口は、相対的に前記排気通路から遠く離れている方が、相対的に前記排気通路の近くにある方よりもその幅が広く形成されたことを特徴とする。
【０００９】
好ましくは、前記吸気口は、前記排気通路に進むにつれてその幅が一定に狭まる形状を有する。
【００１０】
好ましくは、前記吸気口は、複数のものが横方向に並んで形成される。
【００１１】
好ましくは、前記吸気口は、略梯形を呈している。
【００１２】
また、本発明に係る壁掛け型電子レンジは、一側に排気通路が設けられた本体と、前記排気通路に設けられた排気ファンと、前記本体の下部に装着され、前記排気通路と連通する吸気口が横方向に設けられたフードと、を備え、前記吸気口は、前記排気ファンにより生じる吸入力が相対的に小さい方の面積が、吸入力が相対的に大きい方の面積よりも大きくなっていることを特徴とする。
【発明の効果】
【００１３】
本発明に係る壁掛け型電子レンジは、フードに設けられた吸気口が本体の一側に設けられた排気通路に進むにつれてその幅が狭まることから、フードの下部における、排気通路の近くに配置されたガスレンジにおいて生じる排ガスや食べ物の臭いだけではなく、排気通路から遠く離れているガスレンジにおいて生じる排ガスや食べ物の臭いをも円滑に吸い込んで室外に排出し切れるという効果を奏する。
【発明を実施するための最良の形態】
【００１４】
以下、添付した図面に基づき、本発明の好適な実施の形態について説明する。
【００１５】
図１及び図２は、それぞれ本発明の第１実施の形態によるフード付き壁掛け型電子レンジの前方斜視図及び下方斜視図である。
【００１６】
図１及び図２に示すように、本発明の第１実施の形態によるフード付き壁掛け型電子レンジ１は、外観を形成する略箱状の本体１０と、この本体１０の内部に互いに仕切られて形成された調理室１１及び電装品室１２を備える。
【００１７】
本体１０の左側板１０ａと調理室１１の左側板１１ａとの間には、本体１０の下部に位置しているガスレンジなどの調理装置（図５参照）において調理をするときに生じる排ガスと煙などが室外に排出さるべくガイドする排気通路１３が設けられており、本体１０の後方の上部には、前記排気通路１３を介して流れ込んだ排ガスや煙などを室外に排出させるための排気ファン１４及びファンモータ１５が設けられている。
【００１８】
前記排気ファン１４はファンモータ１５の左側に装着されて動作し、ファンモータ１５の右側には電装品室１２に空気を供給するための冷却ファン１６が装着され、これにより、電装品室１２に設けられたマグネトロン１７と高圧トランス１８及びコンデンサ１９などの電装部品を冷却させる。
【００１９】
調理室１１及び電装品室１２の前方の上側には、それぞれ前面吸入口２０及び前面吐出口２１が設けられており、調理室１１と電装品室１２を仕切る調理室１１の右側板１１ｂ及び調理室１１の上板１１ｃには、それぞれ多数の通孔２２,２３が設けられている。
【００２０】
このため、冷却ファン１６により前面吸入口２０を介して電装品室１２に流れ込んで電装部品を冷却させた空気は、引き続き通孔２２,２３及び前面吐出口２１を介して流動し、調理室１１において料理をするときに生じる水蒸気と食べ物の臭いを調理室１１の外部に排出させる。
【００２１】
本体１０の下部には、本体１０の下方に位置しているガスレンジ５１,５２（図５参照）において生じる排ガスを受け入れて排気通路１３に流動させるための吸気口３１付きフード３０が取り付けられる。このフード３０は、調理室１１の底板１１ｄと一定の間隔だけ離れた状態で本体１０の下部に取り付けられ、吸気口３１を通った空気を排気通路１３に移動させる。
【００２２】
吸気口３１は、その右側端３１ａが最も長く、左側端３１ｂが最も短くなっており、フード３０の左側端と右側端との間に横方向に沿って長く形成される。
【００２３】
このように、吸気口３１の右側端３１ａをその左側端３１ｂよりも長く形成する理由は、排気通路１３と隣り合った吸気口３１の左側端３１ｂの近くには、排気通路１３から遠く離れている吸気口３１の右側端３１ａの近くに比べて相対的に排気ファン１４の吸入力が大きく働くため、左側端３１ｂの近くには右側端３１ａの近くよりも相対的に多量の排ガスが流入できる結果、吸気口３１の左側端３１ｂの下部に位置したガスレンジ（図５における符号５１）において生じる排ガスは吸気口３１を介して排気通路１３に円滑に吸い込まれるのに対し、吸気口３１の右側端３１ａの下部に位置したガスレンジ（図５における符号５２）において生じる排ガスは、吸気口３１を介して排気通路１３によく吸い込まれなくなるためである。
【００２４】
従って、かかる現象を防ぐために、本発明においては、吸気口３０を、排気通路１３から最も遠く離れている吸気口３１の右側端３１ａを最も長く、かつ、排気通路１３と一番近くに位置している吸気口３１の左側端３１ｂを最も短くすると共に、吸気口３０の先端３１ｃから後端３１ｄまでの長さ、すなわち、吸気口３１の幅を吸気口３１の右側端３１ａから左側端３１ｂに進むにつれて次第に狭まるように形成している。このため、本発明の第１実施の形態による吸気口３１は、略梯形を呈することになる。
【００２５】
かかる吸気口３０の構造により、排気ファン１４の吸入力が相対的に大きく作用する吸気口３０の左側端３１ｂの近くでは相対的に吸入面積が小さく、その一方、排気ファン１４の吸入力が相対的に小さく作用する吸気口３０の右側端３１ａの近くでは相対的に吸入面積が大きくなる。
【００２６】
このため、排気ファン１４が動作すれば、吸気口３０の左側端３１ｂの下部に位置しているガスレンジにおいて生じる排ガスと、吸気口３０の右側端３１ａの下部に位置しているガスレンジにおいて生じる排ガスとが吸気口３０を介して排気通路１３に均一に吸い込まれた後、排気ファン１４を経て室外に排出できるようになる。
【００２７】
図３及び図４は、それぞれ本発明の第２実施の形態によるフード付き壁掛け型電子レンジの前方斜視図及び下方斜視図である。
【００２８】
図３及び図４に示すように、本発明の第２実施の形態によるフード付き壁掛け型電子レンジ１は、本体１０の下部に配置されたフード３０ａの右側と左側とに、それぞれ第１実施の形態によるフード３０に設けられた吸気口３１と同じ形状を有する吸気口３２,３３を配置してなる。このため、本発明の第２実施の形態によるフード３０ａ付き壁掛け型電子レンジ１は、フード３０ａが複数の吸気口３２,３３を備えてなることを除いては、第１実施の形態による壁掛け型電子レンジと同様な構成及び作用を有する。
【００２９】
すなわち、本発明の第２実施の形態によるフード３０ａは、略梯形を呈する一対の吸気口３２,３３がそれぞれ前記フード３０ａの右側及び左側において互いに一定の間隔だけ離れた状態で配置されている。
【００３０】
従って、フード３０ａの右側に配置された吸気口３２は、その右側端３２ａがその左側端３２ｂよりも長く形成され、その先端３２ｃから後端３２ｄまでの長さ、すなわち、吸気口３２の幅が右側端３２ａから左側端３２ｂに進むにつれて一定に狭まる形状を有するため、排気通路１３の近くに位置した吸気口３２の左側端３２ｂ近傍の吸入面積が、排気通路１３から遠く離れている吸気口３２の右側端３２ａ近傍の吸入面積よりも小さくなる。
【００３１】
これと同様に、フード３０ａの左側に配置された吸気口３３は、その右側端３３ａがその左側端３３ｂよりも長く形成され、その先端３３ｃから後端３３ｄまでの長さ、すなわち、吸気口３３の幅が右側端３３ａから左側端３３ｂに進むにつれて一定に狭まるような形状を有するため、排気通路１３の近くに位置した吸気口３３の左側端３３ｂ近傍の吸入面積が、排気通路１３から遠く離れている吸気口３３の右側端３３ａ近傍の吸入面積よりも小さくなる。
【００３２】
このような構造により、第２実施の形態によるフード３０ａは、第１実施の形態によるフード３０と同様な作用を有し、その結果、フード３０ａの左下部に位置したガスレンジ（図５における符号５１）において生じる排ガスは吸気口３３を介して円滑に吸い込まれ、フード３０ａの右下部に位置したガスレンジ（図５における符号５２）において生じる排ガスは吸気口３２を介して円滑に吸い込まれた後室外に排出できる。
【００３３】
本実施の形態においては、フード３０ａに一対の吸気口３２,３３が形成されている構造が例として挙げられているが、これに限定されることなく、フード３０ａに応じて多数の吸気口が形成できるということは言うまでもない。
【００３４】
図５は、本発明に係る壁掛け型電子レンジが、複数のガスレンジ付き複合型調理器具の上部に配置されていることを示す斜視図である。
【００３５】
図５に示すように、通常、本発明に係る壁掛け型電子レンジ１は、台所の壁面に取り付けられ、この壁掛け型電子レンジ１の下部には、その上部に複数のガスレンジ５１,５２を有する複合型調理器具５０が配置される。
【００３６】
このため、複合型調理器具５０の左上側に配置されたガスレンジ５１は、本発明に係る壁掛け型電子レンジ１において、本体１０の内部の左側に設けられた排気通路１３（図１ないし図４参照）と相対的に近く位置し、複合型調理器具５０の右上側に配置されたガスレンジ５２は前記排気通路１３から相対的に遠く離れて配置されるが、本発明に係る吸気口３１,３２,３３は、排気通路１３に近くなればなるほどその吸入面積が狭まるようになっているため、左側のガスレンジ５１と右側のガスレンジ５２とにおいて生じる排ガスを均一に吸い込んで室外に排出することができる。
【図面の簡単な説明】
【００３７】
【図１】本発明の第１実施の形態によるフード付き壁掛け型電子レンジの前方斜視図である。
【図２】本発明の第１実施の形態によるフードを介して排ガスが流動することを示す壁掛け型電子レンジの下方斜視図である。
【図３】図１に対する対応図であって、本発明の第２実施の形態によるフード付き壁掛け型電子レンジの前方斜視図である。
【図４】図２に対する対応図であって、本発明の第２実施の形態によるフードを介して排ガスが流動することを示す壁掛け型電子レンジの下方斜視図である。
【図５】本発明に係る壁掛け型電子レンジが複数のガスレンジ付き複合型調理器具の上部に配置されたことを示す斜視図である。
【符号の説明】
【００３８】
１０  本体
１１  調理室
１２  電装品室
１３  排気通路
１４  排気ファン
１５  ファンモータ
１６  冷却ファン
３０,３０ａ  フード
３１,３２,３３  吸気口
５１,５２  ガスレンジ
【図１】
2005140494.tif 000003
【図２】
2005140494.tif 000004
【図３】
2005140494.tif 000005
【図４】
2005140494.tif 000006
【図５】
2005140494.tif 000007